(57)【特許請求の範囲】
【請求項１】
略Ｃ字形の継手を長手方向に沿って有する多数の長尺の覆工エレメントを、隣接するものどうしの前記継手を嵌合させながら並列させて地山に挿入し、地下構造物を構築するために用いる前記覆工エレメントの継手防護方法であって、
前記継手は、基部と、この基部からそれぞれ延び、先端に膨出部が形成された傾斜板状部及び湾曲部とを備え、継手どうしが嵌合する嵌合溝が前記傾斜板状部と前記湾曲部との内面によって略Ｃ字形に規定され、一方の継手の前記膨出部が他方の継手の前記嵌合溝に嵌合されることにより両継手が互いに嵌合されるものであり、
地山に後行して挿入される前記覆工エレメントの前記継手のうち、先行して地山に挿入された前記覆工エレメントの前記継手に嵌合されるものの前記湾曲部外面に、錆代を見込めない肉厚範囲において樹脂系材料からなるシート状の防錆ライナを貼り付けることを特徴とする地下構造物構築用エレメントの継手防護方法。
【発明の詳細な説明】
【０００１】
【発明の属する技術分野】
この発明は、地下構造物構築用エレメントの継手防護方法に関し、さらに詳細には、覆工エレメントを用いて鉄道線路や道路の下方に地下構造物を構築する際に用いられるエレメントの継手防護方法に関する。
【０００２】
【従来の技術】
鉄道線路や道路の下方に立体交差する地下構造物を構築する工法の１つとして、長尺の多数の鋼製エレメントを地山に挿入して覆工を行うＵＲＴ（ＵｎｄｅｒＲａｉｌｗａｙ／Ｒｏａｄ  Ｔｕｎｎｅｌ）工法が知られている。
【０００３】
この工法は、図１に示すように、例えば線路１下の地山に構造物の断面を区画するように、長尺の多数の覆工エレメント２，３を牽引又は推進により並列させて地山に挿入し、エレメント内部にコンクリートを打設して覆工壁４を構築した後、覆工壁４内方の地山を掘削して、覆工壁４を箱形ラーメン形式又は円形等の構造物とする工法である。
【０００４】
このような工法に使用する覆工エレメントとして、断面が四角形の基準覆工エレメントと、その側部に順次連結される断面コ字形の連結覆工エレメントとを用い、さらに各エレメント間の継手を全強状態に連結することができる構造とした工法について、この出願人は既に提案している（特願平１０−２８９１２０号明細書、特願平１０−３６０３３３号明細書）。
【０００５】
これらの基準覆工エレメント及び連結覆工エレメントは、いずれも鋼製のもので、その構造が図２及び図３に示されている。すなわち、基準覆工エレメント２は、図２に示すように、４枚のプレート５によって断面四角形に形成され、各隅角部には略Ｃ字形の継手６が長手方向に沿って設けられている。
【０００６】
また、連結覆工エレメント３は、図３に示すように、３枚のプレート７，８によって断面コ字形に形成され、各隅角部及びプレート７の開放側端部には継手９，１０が長手方向に沿ってそれぞれ設けられている。基準覆工エレメント２は最初に地山に挿入され、次いで、基準覆工エレメント２の両側部の地山に連結覆工エレメント３が挿入される。
【０００７】
その際、図４に一方側のみを示すように、連結覆工エレメント３は、その開放部側の継手１０を基準覆工エレメント２の継手６に嵌合させながら地山に挿入される。先行して地山に挿入された連結覆工エレメント３に並列させて、さらに後行する連結覆工エレメント３が地山に挿入され、この後行する連結覆工エレメント３は、その開放部側の継手１０を先行する連結覆工エレメントの隅角部側の継手９に嵌合させながら地山に挿入される。このようにして、連結覆工エレメント３を順次地山に挿入し、図１に示したような覆工壁４が構築される。
【０００８】
継手６，９，１０は、いずれも鋼製のものであり、図５に拡大して示すように、基部１１と、基部１１からそれぞれ延びる傾斜板状部１２及び湾曲部１３とを備え、板状部１２の先端には膨出部１４が形成されている。継手どうしが嵌合する嵌合溝１５は、板状部１２と湾曲部１３との内面によって略Ｃ字形に規定され、一方の継手の膨出部１４が他方の継手の嵌合溝１５に嵌合されることにより、両継手が連結される。
【０００９】
このような継手を有する覆工エレメントからなる覆工壁４を本体構造物として利用する場合、部材に発生する引張力はエレメント間の継手により伝達されるため、継手部は十分な強度を必要とする。このため、嵌合時には十分な遊びが有るが、嵌合完了後、その空隙にグラウトを注入することにより固定し、引張力を負担させるようにしている。
【００１０】
ところで、後行して地山に挿入される覆工エレメント３の継手１０において、その湾曲部１３は、地山への挿入後、土砂に晒されることとなる。このため、錆を生じ、経年変化により強度が低下することが考えられる。これに対処するため、湾曲部１３の肉厚を大きくし、錆代を見込めばよいが、継手はロール加工により成形されるため、肉厚を大きくするには限度がある。
【００１１】
【発明が解決しようとする課題】
この発明は上記のような技術的背景に基づいてなされたものであって、次の目的を達成するものである。
この発明の目的は、エレメントの継手の錆発生を防止し、長期に亘って所要の強度を維持することができる地下構造物構築用エレメントの継手防護方法を提供することにある。
【００１２】
【課題を解決するための手段】
この発明は上記課題を達成するために、次のような手段を採用している。
すなわち、この発明は、略Ｃ字形の継手を長手方向に沿って有する多数の長尺の覆工エレメントを、隣接するものどうしの前記継手を嵌合させながら並列させて地山に挿入し、地下構造物を構築するために用いる前記覆工エレメントの継手防護方法であって、
前記継手は、基部と、この基部からそれぞれ延び、先端に膨出部が形成された傾斜板状部及び湾曲部とを備え、継手どうしが嵌合する嵌合溝が前記傾斜板状部と前記湾曲部との内面によって略Ｃ字形に規定され、一方の継手の前記膨出部が他方の継手の前記嵌合溝に嵌合されることにより両継手が互いに嵌合されるものであり、
地山に後行して挿入される前記覆工エレメントの前記継手のうち、先行して地山に挿入された前記覆工エレメントの前記継手に嵌合されるものの前記湾曲部外面に、錆代を見込めない肉厚範囲において樹脂系材料からなるシート状の防錆ライナを貼り付けることを特徴とする地下構造物構築用エレメントの継手防護方法にある。
【００１３】
この発明によれば、エレメントの継手外面には所要範囲において防錆ライナが設けられるので、その範囲については錆が生じることがなく、長期に亘って強度を維持できる。ここで、所要範囲とは、錆代を見込めず、錆が生じることにより強度低下をもたらす肉厚範囲のことであり、強度に影響がない範囲については必ずしも設けなくともよい。
【００１５】
【発明の実施の形態】
この発明の実施の形態を図面を参照しながら以下に説明する。地下構造物を構築するにあたり、覆工エレメントとしては、図２及び図３に示したような基準覆工エレメント２及び連結覆工エレメント３を用いることができる。そして、図４を参照して説明したように、隣接するエレメントどうしの継手６，１０及び継手９，１０を嵌合させながらこれらのエレメントを並列させて順次地山に挿入し、図１に示したような地下構造物を構築する。以上の点は、従来と同様である。
【００１６】
先行する覆工エレメント２，３の地山への挿入に際しては、図６（ａ）に示すように、継手６，９に閉塞部材であるダミー継手２７が予め嵌合される。このダミー継手２７はアセタール等の樹脂系材料で作られる。ダミー継手２７は、継手６，９，１０の板状部１２に対応した部分２８と、湾曲部１３に対応した部分２９とを有し、これらの部分２８，２９を含む嵌合部は継手６，９，１０と類似した形状となっている。先行する継手６，９の基部１１外面には、遮蔽板である鋼板３０の一端が溶接により固定され、他端がダミー継手２７の部分２９に当接している。
【００１７】
後行する覆工エレメント３の地山への挿入時には、図６（ｂ）に示すように、継手１０によりダミー継手２７を到達立坑側に押し出し、このダミー継手２７と継手１０とを置換する。押し出されたダミー継手２７は、再使用できる。
【００１８】
このように、先行するエレメント２，３は、その継手６，９内部がダミー継手２７によって閉塞された状態で地山に挿入されるので、継手内部に土砂等が流入することがない。また、互いに嵌合された継手６，９及び継手１０間の間隙２５には、グラウトが注入されるが、間隙２５は鋼板３０によって遮蔽されているのでグラウトが漏れることはない。
【００１９】
この発明によれば、後行するエレメント３の継手１０は、その湾曲部１３の外面に防錆ライナー２６が貼り付けられている（図７の拡大図参照）。この防錆ライナー２６は例えば、ＦＲＰで作ることができ、その厚さは数ｍｍ程度である。防錆ライナー２６は、少なくとも湾曲部１３の錆代を見込めない肉厚範囲に貼ればよい。もちろん、湾曲部１３の全体に貼り付けてもよい。このような防錆ライナを設けることにより、錆により強度に影響を受ける部分が保護され、したがって長期に亘って強度を維持することができる。
【００２０】
上記各実施の形態は例示にすぎず、使用するエレメント及び継手等は種々の形態をとることができる。
【００２１】
【発明の効果】
この発明によれば、エレメントの継手の錆発生を防止することができ、したがって長期に亘って所要の強度を維持することができる。
【図面の簡単な説明】
【図１】図１は、地下構造物の全体を示す正面図である。
【図２】図２は、使用するエレメントの一例を示す正面図である。
【図３】図３は、使用するエレメントの一例を示す正面図である。
【図４】図４は、継手の嵌合により接合されたエレメントを示す図である。
【図５】図５は、継手を拡大して示す図である。
【図６】図６は、この発明の実施の形態を示す図である。
【図７】図７は、防錆ライナを設けた継手を拡大して示す図である。
【符号の説明】
２：基準覆工エレメント
３：連結覆工エレメント
４：覆工壁
５：プレート
６：継手
７：プレート
９：継手
１０：継手
１１：基部
１２：傾斜板状部
１３：湾曲部
１４：膨出部
１５：嵌合溝
２５：間隙
２６：防錆ライナー
２７：ダミー継手
【図１】
0003790386.tif 000002
【図２】
0003790386.tif 000003
【図３】
0003790386.tif 000004
【図４】
0003790386.tif 000005
【図５】
0003790386.tif 000006
【図６】
0003790386.tif 000007
【図７】
0003790386.tif 000008